(57)【要約】【課題】簡単な張設構造で、張材を支持部材に対して抜けるのを防ぐことが可能となるうえ、金型を簡素化させることができ、成型にかかるコストが増大を抑制することができる。【解決手段】上枠部５２が本体支持部材５４と、本体支持部材５４に外嵌する補助支持部材５５を備え、張材５１は、本体支持部材５４の後側の周壁５４ｃと、補助支持部材５５の後壁５５Ｂと、の間に挟持され、補助支持部材５５の外周面で後壁５５Ｂから前壁５５Ａに沿って延在することで、背凭れの前面に張設される構成の張材の張設構造を提供する。【選択図】図４
2014079493.tif 000002
【特許請求の範囲】
【請求項１】
支持部材の縁部に張材の端部を支持することによって、前記張材を前記支持部材の前面に張設させた張材の張設構造であって、
前記支持部材は、本体支持部材と、該本体支持部材に外嵌する補助支持部材を備え、
前記張材は、前記本体支持部材の後側と、前記補助支持部材の後壁と、の間に挟持され、前記補助支持部材の外周面で後壁から前壁に沿って延在していることを特徴とする張材の張設構造。
【請求項２】
前記本体支持部材には、前記本体支持部材の幅方向に沿って延びる一部或いは全域が他の部位に対して段落ちした低段部が形成され、
該低段部に前記補助支持部材が外嵌することを特徴とする請求項１に記載の張材の張設構造。
【請求項３】
前記低段部の前面側には、前側へ向けて突設されたリブ片が設けられ、
該リブ片が前記補助支持部材の前壁の内周面に当接していることを特徴とする請求項２に記載の張材の張設構造。
【請求項４】
前記低段部には、前側へ向けて突出する下壁が設けられ、
前記補助支持部材の前壁の端縁が、前記下壁に当接することを特徴とする請求項２又は３に記載の張材の張設構造。
【請求項５】
前記本体支持部材における後側の下端部には、切欠段部が形成され、
該切欠段部と、前記補助支持部材の後壁の内周面と、によって嵌合溝部が形成され、
該嵌合溝部に前記張材の端部が嵌合することを特徴とする請求項１乃至４のいずれか１項に記載の張材の張設構造。
【請求項６】
前記補助支持部材の後壁の内周面には、前記張材の端部が係合可能な被係合凹部が形成されていることを特徴とする請求項１乃至４のいずれか１項に記載の張材の張設構造。
【請求項７】
前記補助支持部材は、その外周面が後壁から前壁へ向けて湾曲していることを特徴とする請求項１乃至６のいずれか１項に記載の張材の張設構造。
【請求項８】
前記支持部材は、枠状に形成された枠部材からなり、該枠部材の内周面同士の間に空間を有することを特徴とする請求項１乃至７のいずれか１項に記載の張材の張設構造。
【発明の詳細な説明】
【技術分野】
【０００１】
本発明は、家具を構成する支持部材の縁部に張材の端部を支持する張材の張設構造に関する。
【背景技術】
【０００２】
この種の家具として、従来、着座面に適度な弾性をもたせるとともに、優れた通気性を有する構造の椅子が知られている（例えば、特許文献１参照）。
特許文献１には、枠部材の外周縁に外向きの嵌合溝を設け、この嵌合溝に張材の縁部を係止させた椅子の張設構造について開示されている。
【先行技術文献】
【特許文献】
【０００３】
【特許文献１】特許第４６５２７６７号公報
【発明の概要】
【発明が解決しようとする課題】
【０００４】
しかしながら、従来の家具における張材の張設構造では、以下のような問題があった。
すなわち、上記特許文献１では、枠部材の外周縁に外向きの嵌合溝を設けているが、嵌合溝を設けるにあたっては、金型での成型時において、枠部材の表面／背面を形成する金型だけでは成型することができず、面方向に直交する方向に動く冶具を動かす工程（いわゆるスライド成型）を追加する必要があることから、金型が複雑化して製造コストが増大するという問題があった。
したがって、金型の製造コストを抑えつつ、簡単な構造で張材を支持部材に対して抜けるのを防ぐことをバランスよく達成することが求められており、その点で改良の余地があった。
【０００５】
本発明は、上述する問題点に鑑みてなされたもので、簡単な張設構造で、張材を支持部材に対して抜けるのを防ぐことが可能となるうえ、金型を簡素化させることができ、成型にかかるコストが増大を抑制することができる張材の張設構造を提供することを目的とする。
【課題を解決するための手段】
【０００６】
上記目的を達成するため、本発明に係る張材の張設構造では、支持部材の縁部に張材の端部を支持することによって、前記張材を前記支持部材の前面に張設させた張材の張設構造であって、前記支持部材は、本体支持部材と、該本体支持部材に外嵌する補助支持部材を備え、前記張材は、前記本体支持部材の後側と、前記補助支持部材の後壁と、の間に挟持され、前記補助支持部材の外周面で後壁から前壁に沿って延在していることを特徴としている。
【０００７】
本発明では、本体支持部材に補助支持部材を外嵌させることで、本体支持部材に対して容易に組み付けることができ、このとき張材の端部を本体支持部材の後側と補助支持部材の後壁との間に挟持させることで、本体支持部材の前面に張材を張設することができる。そして、補助支持部材の形状が支持部材に外嵌可能な凹形状となればよいので、成型用の金型を簡素化することができ、成型にかかるコストの低減を図ることができる。
【０００８】
また、張材の端部が本体支持部材の後側と補助支持部材の後壁との間に挟持され、その張材が補助支持部材の外周面で後壁から前壁側まで回り込むので、張材の張力によって補助支持部材が本体支持部材に押し付けられることになる。そのため、ねじや係合手段等を使用せずに、本体支持部材と補助支持部材とを組み付けることができる。したがって、外的な手段によることなく、本体支持部材と補助支持部材との間に締付力（挟持力）を発生させることができ、張材の端部を両者によって強力に挟持することができる。
【０００９】
また、本発明に係る張材の張設構造では、前記本体支持部材には、前記本体支持部材の幅方向に沿って延びる一部或いは全域が他の部位に対して段落ちした低段部が形成され、該低段部に前記補助支持部材が外嵌することが好ましい。
【００１０】
本発明では、本体支持部材における低段部に補助支持部材が外嵌された部分と、他の部位と、の間での段差を無くすことができる。
【００１１】
また、本発明に係る張材の張設構造では、前記低段部の前面側には、前側へ向けて突設されたリブ片が設けられ、該リブ片が前記補助支持部材の前壁の内周面に当接していることが好ましい。
【００１２】
これにより、補助支持部材の前壁の内周面が低段部のリブ片の突出端に当接するので、互いに面同士で当接する場合に比べて確実に当接させることができ、補助支持部材を張材の張力によって効果的に支持部材に押し付けることができる。
【００１３】
また、本発明に係る張材の張設構造では、前記低段部には、前側へ向けて突出する下壁が設けられ、前記補助支持部材の前壁の端縁が、前記下壁に当接することが好ましい。
【００１４】
この場合、補助支持部材の後壁から前壁側まで回り込んだ張材の張力がかかるとき、補助支持部材が低段部回りに張材の回り込む方向に回動しようとするが、補助支持部材の前壁の端縁が下壁に当接して、前記補助支持部材の回動を規制することができる。つまり、補助支持部材が回動するのを防止することで、補助支持部材が本体支持部材に確実に押し付けることができ、本体支持部材と補助支持部材との間の締付力（挟持力）を高めることができる。
【００１５】
また、本発明に係る張材の張設構造では、前記支持部材における後側の下端部には、切欠段部が形成され、該切欠段部と、前記補助支持部材の後壁の内周面と、によって嵌合溝部が形成され、該嵌合溝部に前記張材の端部が嵌合するようにしてもよい。
【００１６】
本発明では、低段部に形成された切欠段部と補助支持部材の後壁の内周面とによって嵌合溝部が形成されているので、端部が例えば樹脂製の縁材が形成された張材であっても、その縁材部分の端部を嵌合溝部に嵌合させることで、張材を本体支持部材と補助支持部材との間に容易に挟持させることができる。
【００１７】
また、本発明に係る張材の張設構造では、前記補助支持部材の後壁の内周面には、前記張材の端部が係合可能な被係合凹部が形成されていることが好ましい。
【００１８】
この場合、補助支持部材の内周面に形成された被係合凹部は外側に露出しないので、外嵌時の体裁が良好となる利点がある。
【００１９】
また、本発明に係る張材の張設構造では、前記補助支持部材は、その外周面が後壁から前壁へ向けて湾曲していることが好ましい。
【００２０】
この場合、端部が支持された張材が補助支持部材の湾曲部分に沿って張設されるので、張材によって補助支持部材を本体支持部材に確実に押し付けることができる。
【００２１】
また、本発明に係る張材の張設構造では、前記支持部材は、枠状に形成された枠部材からなり、該枠部材の内周面同士の間に空間を有することが好ましい。
【００２２】
本発明では、支持部材が枠部材から形成されているので、この枠部材の前面に張材を張設することで、例えば椅子の背凭れに好適に採用することができる。
【発明の効果】
【００２３】
本発明の張材の張設構造によれば、簡単な張設構造で、張材を支持部材に対して抜けるのを防ぐことが可能となるうえ、金型を簡素化させることができ、成型にかかるコストが増大を抑制することができる。
【図面の簡単な説明】
【００２４】
【図１】本発明の実施の形態による椅子を斜め前方から見た斜視図である。
【図２】上枠部の補助支持部材を取り外した状態を斜め前方から見た斜視図である。
【図３】背凭れにおける張材の張設構造を示す側面図である。
【図４】張材の端部の支持構造を示す断面図であって、図１に示すＡ−Ａ線断面図である。
【図５】他の実施の形態による張材の端部の支持構造を示す断面図であって、図４に対応する図である。
【発明を実施するための形態】
【００２５】
以下、本発明の実施の形態による張材の張設構造について、図面に基づいて説明する。
【００２６】
図１に示すように、本実施の形態による張材の張設構造は椅子１の背凭れに適用されている。椅子１は、床面Ｆ上に設けられた脚体１０と、該脚体１０に支持された背凭れ支持体２０と、該背凭れ支持体２０に設けられ着座者が着座可能な座部３０と、背凭れ支持体２０に支持された背凭れ後部支持部材４０と、該背凭れ後部支持部材４０に支持され着座者の背を支持する背凭れ５０と、を備えている。
【００２７】
なお、以下の説明では、椅子１において、着座者が着座、離座する方向を前後方向Ｙ、着座者が着座する側を前方、反対側を後方とし、また、前後方向Ｙに直交する水平面内の方向を幅方向Ｘとし、幅方向Ｘで椅子１から離間する側を側方とする。
【００２８】
（脚体）
脚体１０は、床面Ｆ上を旋回可能なキャスタ１１が設けられた複数の脚杆１２と、該複数の脚杆１２に支持された脚柱１３とを備えている。複数の脚杆１２は、放射状に配されて基端で互いに連結されており、それぞれの先端にキャスタ１１が取り付けられている。脚柱１３は、下部が複数の脚杆１２の基端に連結されており、上方に向けて立設されている。また、この脚柱１３の上部には、背凭れ支持体２０を後傾可能とするリクライニング機構（図示省略）が内蔵された支基１４が取り付けられている。
【００２９】
（背凭れ支持体）
背凭れ支持体２０は、支基１４の幅方向両側方に基部が枢着されて前後方向に延びる腕部２１が設けられ、これら腕部２１のそれぞれの延在方向の中間部分から上向き腕部２２が上方に向かって延出するとともに座部３０を支持している。
一対の腕部２１は、それぞれの後端同士が連結され、その連結部分が後述する背凭れ後部支持部材４０の下部に固定されている。
また、図１に示すように、背凭れ支持体２０には、側方から上方に向かって延出する肘掛け２３が設けられている。
【００３０】
（座部）
座部３０は、支基１４に対して前後方向にスライド可能に前部が支持されるとともに、背凭れ支持体２０の上向き腕部２２に枢着されている。そして、支基１４のリクライニング機構により背凭れ支持体２０が後傾するにともない、座部３０は支基１４に対して相対的に後方に移動するとともに後側を下方に向かって傾動するように構成されている。
【００３１】
（背凭れ後部支持部材）
図２に示すように、背凭れ後部支持部材４０は、背凭れ支持体２０（図１参照）に連結された下部連結部４１と、該下部連結部４１から上方へ向かって延びる中間連結部４２と、該中間連結部４２の上端から上方に向かうに従って漸次、幅方向Ｘの外側に広がるように配された上部連結部４３と、を有している。
【００３２】
図１に示すように、下部連結部４１は、下部後面に背凭れ支持体２０の一対の腕部２１の後端が嵌合する位置決め凹部（図示省略）が形成されており、一対の腕部２１は該位置決め凹部に嵌合されている。そして、下部連結部４１は、該位置決め凹部にて背凭れ支持体２０の上部と例えば、ボルト・ナット（図示省略）による螺着によって固定される。さらに下部連結部４１は、下端にて背凭れ５０に連結されている。
【００３３】
中間連結部４２は、図２に示すように、下端が下部連結部４１に連結され上方に向かって配されている。また、中間連結部４２は、上方に向かうに従って幅方向Ｘの長さ寸法が漸次狭くなり、途中から上方に向かうに従って幅方向Ｘの長さ寸法が再び広くなるように形成されている。
【００３４】
この中間連結部４２は、前面が凹面、後面が凸面となるような水平断面が横向きＵ字状の形成されている。そして、中間連結部４２は、凹面状の形成された前面に、前方に向かって突出し略水平方向に延在する横リブ４２Ａが上下方向に離間して複数形成され、また前方に向かって突出し略鉛直方向に延在する縦リブ４２Ｂが椅子１の幅方向に離間して複数形成されている。本実施の形態では、横リブ４２Ａが４本形成され、これら横リブ４２Ａと交差するように縦リブ４２Ｂが２本形成されている。中間連結部４２では、水平断面が横向きＵ字状に形成されることに加えて、これら横リブ４２Ａ及び縦リブ４２Ｂにより、剛性が高められている。
【００３５】
上部連結部４３は、下端が中間連結部４２に連結され、上方に向かうに従って漸次、幅方向の外側に広がるように配されている。すなわち、上部連結部４３は、上方に向かうに従って漸次、互いに幅方向Ｘの外側に離間するように配された一対の連結片４３Ａ、４３Ｂを有し、一対の連結片４３Ａ、４３Ｂによって全体としてＶ字状に形成されている。
【００３６】
下部連結部４１、中間連結部４２及び上部連結部４３を構成する一対の連結片４３Ａ、４３Ｂは、一体成形されており、背凭れ後部支持部材４０は、全体として側面視して後方に凸となるように湾曲形成されている。
【００３７】
つまり、下部連結部４１は、湾曲しつつ全体として上方に向かうに従って後方へと向かうように傾斜している。また、上部連結部４３を構成する一対の連結片４３Ａ、４３Ｂは、湾曲しつつ上方に向かうに従って前方へと向かうように傾斜している。そして、中間連結部４２は、湾曲しつつ、上部連結部４３と下部連結部４１とを連結している。
【００３８】
（背凭れ）
図１に示すように、背凭れ５０は、着座者の背を受ける張材５１と、該張材５１が取り付けられ背凭れ後部支持部材４０における上部連結部４３と連結された上枠部５２（支持部材）と、該上枠部５２と連結されるとともに張材５１が取り付けられた一対の縦枠部５３Ａ、５３Ｂ（５３）とを有する。
【００３９】
張材５１は、着座者の背を受け、背の姿勢に応じて変形可能な可撓性を有する部材で構成されている。具体的には、本実施形態ではメッシュ状の部材で形成されているおり、メッシュを構成する糸材が弾性的に伸縮することにより、全体として弾性的に撓み変形可能となっている。この張材５１は、上枠部５２と一対の縦枠部５３とで囲まれた部分に設けられ、端部がこれら上枠部５２及び一対の縦枠部５３に固定されている。
張材５１は、図３に示すように、端部５１ａを上枠部５２の縁部に支持することによって、背凭れ５０の前面に張設されている。
【００４０】
図２に示すように、上枠部５２は、幅方向Ｘに沿って延在して、その両端が上部連結部４３における一対の連結片４３Ａ、４３Ｂの上端にそれぞれ連結されるとともに、一対の縦枠部５３Ａ、５３Ｂの上端にそれぞれ連結されている。
【００４１】
縦枠部５３Ａ、５３Ｂは、下端が背凭れ後部支持部材４０の下部連結部４１に連結され、上端が上枠部５２及び背凭れ後部支持部材４０の一対の連結片４３Ａ、４３Ｂに連結され、上方に向かうに従ってしだいに後方に向かうように形成されている。
【００４２】
このように縦枠部５３Ａ、５３Ｂは、下部から上方に向かうに従ってしだいに前方に向かうように形成されるとともに、延在方向の中間部分から上方に向かうに従ってしだいに前方に向かうように形成されており、全体として前方に向かって凸となるように湾曲形成されている。
【００４３】
上記の背凭れ後部支持部材４０と縦枠部５３とは、側面視して環状に一体成形されている。本実施の形態では、背凭れ後部支持部材４０の下部連結部４１、中間連結部４２、一方の連結片４３Ａ、一方の縦枠部５３Ａにより、側面視して環状に形成されている。また、背凭れ後部支持部材４０の下部連結部４１、中間連結部４２、他方の連結片４３Ｂ、他方の縦枠部５３Ｂにより、側面視して環状に形成されている。
すなわち、本実施の形態では、背凭れ後部支持部材４０の各部と、背凭れ５０の上枠部５２及び一対の縦枠部５３Ａ、５３Ｂとが一体成形されている。
【００４４】
また、縦枠部５３Ａ，５３Ｂには、その幅方向Ｘの外側から内側に向かって切り込み部（図示省略）が形成され、該切り込み部に張材５１の幅方向Ｘの端部が挟み込まれるとともに固定されている。
【００４５】
上枠部５２は、幅方向Ｘに沿って延びる略全域が他の部位（縦枠部５３）に対して段落ちした低段部５４ａが形成された本体支持部材５４と、本体支持部材５４の低段部５４ａに外嵌する断面視でＵ字状の補助支持部材５５と、を備えている。
【００４６】
本体支持部材５４は、下に凸となるように略Ｖ字状に屈曲して前側へ向けて突出する下壁５４ｂと、下壁５４ｂの後端部から上方に向かうに従って漸次、前方に向けて傾斜するように延在する周壁５４ｃと、によって前方に開口している（図４参照）。本体支持部材５４は、周壁５４ｃの前面側に前側へ向けて突設し、幅方向Ｘに間隔を開けて複数のリブ片５４ｄが設けられ、且つ幅方向Ｘの中央の前端部にボルト挿入穴５４ｅが形成されている。このボルト挿入穴５４ｅには、例えば図示しないヘッドレストやハンガー等のオプション部材を取り付けるためのボルトが下面側から挿通される。
【００４７】
図４に示すように、補助支持部材５５は、前壁５５Ａと後壁５５Ｂとが上側で連結され、下向きに開口する断面視でＵ字形状をなし、後壁５５Ｂの内周面５５ａが本体支持部材５４の低段部５４ａに外嵌される。つまり、周壁５４ｃと補助支持部材５５の後壁５５Ｂのとの間に張材５１の端部５１ａが挟持される。補助支持部材５５は、その外周面が後壁５５Ｂから前壁５５Ａへ向けて湾曲した形状をなしている。そして、前壁５５Ａの端縁５５ｃは、下壁５４ｂの上面に当接した状態となっている。
【００４８】
張材５１は、本体支持部材５４の周壁５４ｃと、補助支持部材５５の後壁５５Ｂの内周面５５ａと、の間に挟持され、補助支持部材５５の外周面で後壁５５Ｂから前壁５５Ａに沿って延在している。また、リブ片５４ｄは、それぞれが補助支持部材５５の前壁５５Ａの内周面５５ｂに当接している。
【００４９】
次に、上述した張材の張設構造の作用について、図面に基づいて詳細に説明する。
図４に示すように、本実施の形態では、本体支持部材５４にＵ字状の補助支持部材５５を外嵌させることで、本体支持部材５４に対して容易に組み付けることができ、このとき、張材５１の端部５１ａを本体支持部材５４の後側と補助支持部材５５の後壁５５Ｂとの間に挟持させることで、本体支持部材５４の前面に張材５１を張設することができる。そして、補助支持部材５５の形状が本体支持部材５４に外嵌可能な凹形状となればよいので、成型用の金型を簡素化することができ、成型にかかるコストの低減を図ることができる。
【００５０】
また、張材５１の端部５１ａが本体支持部材５４の後側の周壁５４ｃと補助支持部材５５の後壁５５Ｂとの間に挟持され、その張材５１が補助支持部材５５の外周面で後壁５５Ｂから前壁５５Ａ側まで回り込むので、張材５１の張力によって補助支持部材５５が本体支持部材５４に図４に示す矢印方向に押し付けられることになる。そのため、ねじや係合手段等を使用せずに、本体支持部材５４と補助支持部材５５とを組み付けることができる。したがって、外的な手段によることなく、本体支持部材５４と補助支持部材５５との間に締付力（挟持力）を発生させることができ、張材５１の端部５１ａを両者によって強力に挟持することができる。
【００５１】
また、本実施の形態では、本体支持部材５４が幅方向Ｘに沿って延びるほぼ全域が他の部位に対して段落ちした低段部５４ａが形成されているので、その低段部５４ａに補助支持部材５５が外嵌された部分と、他の部位（図２に示す縦枠部５３）と、の間での段差を無くすことができる。
【００５２】
また、本実施の形態では、補助支持部材５５の前壁５５Ａの内周面５５ｂが低段部５４ａのリブ片５４ｄの突出端に当接するので、互いに面同士で当接する場合に比べて確実に当接させることができ、補助支持部材５５を張材５１の張力によって効果的に本体支持部材５４に押し付けることができる。
【００５３】
また、本実施の形態による張設構造では、補助支持部材５５の後壁５５Ｂから前壁５５Ａ側まで回り込んだ張材５１の張力がかかるとき、補助支持部材５５が低段部５４ａ回りに張材５１の回り込む方向に回動しようとするが、補助支持部材５５の前壁５５Ａの端縁５５ｃが下壁５４ｂに当接して、前記補助支持部材５５の回動を規制することができる。つまり、補助支持部材５５が回動するのを防止することで、補助支持部材５５が本体支持部材５４に確実に押し付けることができ、本体支持部材５４と補助支持部材５５との間の締付力（挟持力）を高めることができる。
【００５４】
また、補助支持部材５５の外周面が後壁５５Ｂから前壁５５Ａへ向けて湾曲していることから、端部５１ａが支持された張材５１が補助支持部材５５の湾曲部分に沿って張設され、張材５１によって補助支持部材５５を本体支持部材５４に確実に押し付けることができる。
【００５５】
また、上枠部５２を備えた背凭れ５０が枠状に形成された枠部材からなり、枠部材の内周面同士の間に空間を有しているので、背凭れ５０の前面に張材５１を張設することで、本実施の形態のように椅子１の背凭れに好適に採用することができる。
【００５６】
上述のように本実施の形態による張材の張設構造では、簡単な張設構造で、張材５１を背凭れ５０の上枠部５２に対して抜けるのを防ぐことが可能となるうえ、金型を簡素化させることができ、成型にかかるコストが増大を抑制することができる。
【００５７】
以上、本発明による張材の張設構造の実施の形態について説明したが、本発明は上記の実施の形態に限定されるものではなく、その趣旨を逸脱しない範囲で適宜変更可能である。
【００５８】
例えば、図５に示すように、本体支持部材５４における後側の下端部に切欠段部５４ｆが形成され、この切欠段部５４ｆと補助支持部材５５の後壁５５Ｂの内周面５５ａとによって嵌合溝部５６が形成され、嵌合溝部５６に張材５１の端部５１ａが嵌合するようにしてもよい。
この場合、低段部５４ａに形成された切欠段部５４ｆと補助支持部材５５の後壁５５Ｂの内周面５５ａとによって嵌合溝部５６が形成されているので、図５に示すように端部５１ａが例えば樹脂製の縁材が形成された張材５１であっても、その縁材部分の端部５１ａを嵌合溝部５６に嵌合させることで、張材５１を本体支持部材５４と補助支持部材５５との間に容易に挟持させることができる。
【００５９】
また、補助支持部材５５の後壁５５Ｂの内周面５５ａにおいて、張材５１の端部５１ａが係合可能な被係合凹部を形成させるようにしても良い。この場合、補助支持部材５５の内周面５５ａに形成された被係合凹部は外側に露出しないので、外嵌時の体裁が良好となる利点がある。
【００６０】
さらにまた、本実施の形態では、本体支持部材５４に低段部５４ａが形成され、さらにこの低段部５４ａに補助支持部材５５を外嵌させる構成とされ、それら本体支持部材５４と補助支持部材５５とによって張材５１の端部５１ａを挟持させているが、このような構成であることに制限されることはない。
【００６１】
また、本実施の形態では、張材５１の張設構造の対象として椅子１を採用しているが、椅子であることに制限されることはなく、支持部材の表面に張材を張設する他の家具も適用対象とすることができる。
【００６２】
その他、本考発明の趣旨を逸脱しない範囲で、上記した実施の形態における構成要素を周知の構成要素に置き換えることは適宜可能である。
【符号の説明】
【００６３】
１  椅子
１０  脚体
２０  背凭れ支持体
３０  座部
４０  背凭れ後部支持部材
５０  背凭れ
５１  張材
５２  上枠部
５４  本体支持部材
５４ａ  低段部
５４ｂ  下壁
５４ｃ  周壁
５４ｄ  リブ片
５４ｅ  ボルト挿入穴
５４ｆ  切欠段部
５５  補助支持部材
５５Ａ  前壁
５５Ｂ  後壁
Ｘ  椅子の幅方向
Ｙ  椅子の前後方向
【図１】
2014079493.tif 000003
【図２】
2014079493.tif 000004
【図３】
2014079493.tif 000005
【図４】
2014079493.tif 000006
【図５】
2014079493.tif 000007